(57)【要約】【目的】  いかなる角度からでもパターヘッドの位置を容易に確認することができ、重量バランスの均衡を図り、初心者であっても、ゴルフボールを目標ラインに沿って所定距離正確に打つことができるパターヘッドを提供する。【構成】  アルミ合金のブロックから総削りによって形成され、前面にフラットなフェイス面２ａを有するフェイス部２と、このフェイス部２のスイートエリアから打球方向に延びる打球部３と、この打球部３の後方にフェイス部２と対向して設けられたカウンタウェイト部４とを備え、打球部３の長手方向略中央部のヒール側側面にシャフトが取り付けられるソケット部５が突設され、打球部３の上面３ａは、中央が突出した凸曲面に形成されると共に、当該打球部３の長手方向全域に亙り、フェイス面２ａに平行または直交する筋目６が複数等ピッチに形成されている。【選択図】        図１
2005065796.tif 000002
【特許請求の範囲】
【請求項１】
前面にフラットなフェイス面を有するフェイス部と、このフェイス部のスイートエリアから打球方向に延びる打球部と、この打球部の後方にフェイス部と対向して設けられたカウンタウェイト部とを備え、前記打球部の上面は、中央が突出した凸曲面に形成されると共に、当該打球部の長手方向略全域に亙り、フェイス面に平行または直交する筋目が複数等ピッチに形成されていることを特徴とするパターヘッド。
【請求項２】
前記打球部の長手方向略中央部のヒール側側面にシャフトが取り付けられるソケット部が突設され、このソケット部を、前記打球部の長手方向に位置する重心に略一致させた請求項１に記載のパターヘッド。
【請求項３】
前記カウンタウェイト部は、前記打球部の後端から左右に突き出て水平方向に延びる尾翼状をなし、その先端が前記フェイス部の方向に湾曲した略Ｃの字状に形成されている請求項１または２に記載のパターヘッド。
【請求項４】
前記カウンタウェイト部が断面円形の棒状に形成され、この円形の垂直方向の中心をスイートスポットの高さに略同一に設定させた請求項１乃至３いずれかに記載のパターヘッド。
【請求項５】
前記打球部のソール面は、前記フェイス部の側から前記カウンタウェイト部の側にかけて、その中央部が下方に突出するように円弧状に形成されている請求項１乃至４いずれかに記載のパターヘッド。
【請求項６】
前記パターヘッドは、素材ブロックから総削りによって形成されている請求項１乃至５いずれかに記載のパターヘッド。
【発明の詳細な説明】
【技術分野】
【０００１】
本発明は、ゴルフのパターヘッドに関するものである。
【背景技術】
【０００２】
グリーン上でバッティングする際には、ゴルフボールを転がす目標ラインと平行に左右の足幅を肩幅と同じ位に広げ、膝を緩めて背筋を伸ばし、やや前傾姿勢で深くかがまず、目の位置をできるだけ高く保ちながら、ゴルフボールの真上に目を位置させ、パターヘッドのフェイス面を目標ラインと直角にして、ゴルフボールの後方にパターヘッドのスイートエリアを位置させるようにアドレスするのが良いとされている。
このため、パターヘッドには、スイートエリア部分の上面に、ポイントやフェイス面に直交方向の打球方向指示線を設けて、フェイス面を目標ラインに対して直角にし易いようにしたものがある。
【０００３】
しかし、フェイス面を目標ラインと直角になるようにパターヘッドを位置させても、目標ラインが仮想のラインであるところから、アドレス時にゴルフボールの真上に目を位置させることはなかなか簡単ではなかった。こうした問題を解決したものとして、図５および図６に示すようなパターヘッドが知られている。
【０００４】
このパターヘッド５０は、前面のフラットなフェイス面５１からバックサイド５２までの長さの略半分を、フェイス面５１のヒール側からトウ側の長さと同長にし、その後方を半円弧状に形成すると共に、フェイス面５１近傍のヒール部分にシャフト５３が取り付けられている。そして、フェイス面５１の上部からバックサイド５２に至るクラウン部５４を、バックサイド５２に向けて円弧状に低くし、フェイス面５１のヒール側からトウ側の中間部分のスイートエリアの後方をバックサイド５２まで厚肉にしてスイートエリア後方厚肉部５５を形成している。
【０００５】
さらに、このスイートエリア後方厚肉部５５のヒール側とトウ側のクラウン部５４に、フェイス面５１と平行方向に凹溝５６を複数刻設し、各凹溝５６とこれら凹溝５６間の凸部５７とで凹凸部５８ａ、５８ｂを形成している。また、フェイス後方厚肉部５９のヒール側とトウ側の中心からスイートエリア後方厚肉部５５の上面に、フェイス面５１からバックサイド５２にかけて、フェイス面５１と直交方向のセンター打球方向指示線６０を設けると共に、このセンター打球方向指示線６０のヒール側とトウ側に、フェイス面５１と直交方向のヒール側打球方向指示線６１とトウ側打球方向指示線６２とを設けている。これらのヒール側打球方向指示線６１およびトウ側打球方向指示線６２は、ゴルフボールＢの直径と略同等の間隔で、フェイス後方厚肉部５９から凹凸部５８ａ、５８ｂに直線状に設けられている。
【０００６】
こうした構成により、アドレス時に、ゴルフボールＢの真上に目を位置させた場合には、図５に示すように、ヒール側打球指示線６１とトウ側打球方向指示線６２とが直線として視認できるが、ゴルフボールＢの真上に目を位置できない場合には、図７に示すように、凹凸部５８ａ、５８ｂのヒール側打球指示線６１とトウ側打球方向指示線６２とが直線として視認できず、波状のラインとして視認される。したがって、アドレス時に、ヒール側打球指示線６１とトウ側打球方向指示線６２とが直線になるように目の位置を動かすことにより、ゴルフボールＢの真上に目を位置させることが容易にできる。また、ヒール側打球方向指示線６１およびトウ側打球方向指示線６２がゴルフボールＢと略同等の間隔で設けられ、その中央にセンター打球方向指示線６０が設けられているので、これら３本の打球方向指示線によって、フェイス面５１のスイートエリアをゴルフボールＢの後方に容易に位置させることができる。
【特許文献１】特開２００２−２３９０４５号公報
【発明の開示】
【発明が解決しようとする課題】
【０００７】
しかしながら、こうした従来のパターヘッド５０において、アドレス時に、ヒール側打球方向指示線６１とトウ側打球方向指示線６２とが直線として視認でき、ゴルフボールＢの真上に目を容易に位置させることができたとしても、必ずしもゴルフボールＢを正確に目標ラインに沿って打ち出せることにはならず、熟練度以外のその他の要因、すなわち、パターヘッド５０の重量バランス、重心位置、あるいは周囲の状況等に左右される場合が多い。
【０００８】
さらに、これらの打球方向指示線６０、６１、６２は、特に、ヒール側打球方向指示線６１とトウ側打球方向指示線６２は、直線状のラインか波状のラインかで視認するものであるから、それらの線幅は細く形成されなければ明確に識別することができない。これでは、指示線自体を視認することが難しく、ゴルフボールＢを正確に目標ラインに沿って打ち出すことができないと言った問題があった。
【課題を解決するための手段】
【０００９】
こうした従来の問題を解決するための手段として、本発明のうち請求項１記載の発明は、前面にフラットなフェイス面を有するフェイス部と、このフェイス部のスイートエリアから打球方向に延びる打球部と、この打球部の後方にフェイス部と対向して設けられたカウンタウェイト部とを備え、前記打球部の上面は、中央が突出した凸曲面に形成されると共に、当該打球部の長手方向略全域に亙り、フェイス面に平行または直交する筋目が複数等ピッチに形成されているパターヘッドを提供するものである。
【００１０】
このように、打球部の上面が、中央が突出した凸曲面に形成されると共に、当該打球部の長手方向略全域に亙り、フェイス面に平行または直交する筋目が複数等ピッチに形成されているので、打球部の上面に光が照射されると、この上面のどこかにフェイス面に直交する光の陰影が太く直線状に生成される。したがって、初心者であっても、パターヘッドの位置を容易に確認することができ、正確に目標ラインに沿って打ち出すことができる。また、この打球方向指示線は、陰影によって形成される指示線であるので、従来の機械的に形成された細い打球方向指示線と異なり、明確に識別することができる。
【００１１】
また、請求項２に記載の本発明は、前記打球部の長手方向略中央部のヒール側側面にシャフトが取り付けられるソケット部が突設され、このソケット部を、前記打球部の長手方向に位置する重心に略一致させたので、シャフトを中心とした重量バランスの均衡が良くなり、回転モーメントが小さくなって、ゴルフボールを打つ場合にシャフトとの一体感が得られ、パターヘッドの首振り運動を抑制できる。したがって、初心者であっても、ゴルフボールを目標ラインに沿って容易に真っ直ぐ打ち出すことができる。
【００１２】
また、請求項３に記載の本発明は、前記カウンタウェイト部は、前記打球部の後端から左右に突き出て水平方向に延びる尾翼状をなし、その先端が前記フェイス部の方向に湾曲した略Ｃの字状に形成されているので、打球部の前後方向だけでなく、左右方向の重量バランスが一層良くなる。
【００１３】
好ましくは、請求項４に記載の本発明のように、前記カウンタウェイト部が断面円形の棒状に形成され、この円形の垂直方向の中心をスイートスポットの高さに略同一に設定すれば、パターヘッドの重心の高さは、スイートスポットに接近し、そのためにパターヘッドを地面に沿わせた状態で打球を行っても、パターヘッドの重さはゴルフボールに有効に及ぼされ、その結果ゴルフボールには打力が略水平に及ぼされてゴルフボールを目標ラインに沿って所定距離打つことが容易になる。
【００１４】
また、請求項５に記載の本発明は、前記打球部のソール面は、前記フェイス部の側から前記カウンタウェイト部の側にかけて、その中央部が下方に突出するように円弧状に形成されているので、パターヘッドを振り下ろしてスィングすると、ソール面の前端コーナ部および後端コーナ部が芝に引っ掛かる不具合を防止することができ、芝からパターヘッドに加えられる抵抗を最小限に抑制することができる。
【００１５】
また、請求項６に記載の本発明は、前記パターヘッドは、素材ブロックから総削りによって形成されているので、従来の鍛造あるいは鋳造により製造されたパターヘッドに比べ重量バランスの均衡が可及的に向上すると共に、材料の持つ反発力等の特性を損なうことなく、より敏感な距離感を発揮することができる。
【発明の効果】
【００１６】
本発明のパターヘッドは、前面にフラットなフェイス面を有するフェイス部と、このフェイス部のスイートエリアから打球方向に延びる打球部と、この打球部の後方にフェイス部と対向して設けられたカウンタウェイト部とを備え、前記打球部の上面は、中央が突出した凸曲面に形成されると共に、当該打球部の長手方向略全域に亙り、前記フェイス面に平行または直交する筋目が複数等ピッチに形成されているので、打球部の上面に光が照射されると、この上面のどこかにフェイス面に直交する光の陰影が太く直線状に生成される。したがって、初心者であっても、パターヘッドの位置を容易に確認することができ、正確に目標ラインに沿って打ち出すことができる。また、この打球方向指示線は、陰影によって形成される指示線であるので、従来の機械的に形成された細い打球方向指示線と異なり、明確に識別することができる。
【発明を実施するための最良の形態】
【００１７】
ブロックから総削りによって形成され、前面にフラットなフェイス面を有するフェイス部と、このフェイス部のスイートエリアから打球方向に延びる打球部と、この打球部の後方にフェイス部と対向して設けられたカウンタウェイト部とを備え、前記打球部の長手方向略中央部のヒール側側面にシャフトが取り付けられるソケット部が突設され、前記打球部の上面は、中央が突出した凸曲面に形成されると共に、当該打球部の長手方向全域に亙り、フェイス面に平行または直交する筋目が複数等ピッチに形成されている。
【実施例１】
【００１８】
以下、本発明の実施の形態を図面に基づいて詳細に説明する。
図１は、本発明に係るパターヘッドの一実施例を示す。図１はその平面図、図２は正面図、図３は側面図を示す。また、図４は、図１のＩＶ−ＩＶ線に沿った断面図を示す。
【００１９】
このパターヘッド１は、アルミ合金のブロックから総削りによって形成され、前面にフラットなフェイス面２ａを有するフェイス部２と、このフェイス部２のスイートエリアから打球方向に延びる打球部３と、この打球部３の後方にフェイス部２と対向して設けられたカウンタウェイト部４とを備え、打球部３の長手方向略中央部のヒール側側面にはシャフト（図示せず）が取り付けられるソケット部５が突設されている。
【００２０】
フェイス部２は、角部すべてに円弧状の面取りが形成された直方体形状をなし、上面２ｂが幅狭となるように所定の角度（θ＝３〜４°）傾斜した横断面略台形に形成されている。また、フェイス面２ａは、上面２ｂを下底とする略台形のフラット面に形成されている。打球部３は、フェイス部２から大きな隅Ｒを介して略同一幅にて打球方向に延び、上面３ａは、フェイス部２の上面２ａから面一にて後方に僅かに傾斜して形成されている。一方、ソール面３ｂは、フェイス部２の側からカウンタウェイト部４の側にかけて、その中央部が下方に突出するように円弧状に形成されている。
【００２１】
カウンタウェイト部４は、打球部３の後端から左右に突き出て水平方向に延びる尾翼状をなし、その先端がフェイス部２の方向に湾曲した略Ｃの字状に形成されている。このカウンタウェイト部４は断面円形の棒状に形成され、フェイス面２ａがゴルフボール（図示せず）と当たる点（スイートスポット）、すなわち、図２で示すように、地面からの高さＨの位置に円形断面の中心を有している。
【００２２】
打球部３の上面３ａは、図４に示すように、中央が突出した凸曲面に形成されている。この凸曲面からなる上面３ａには、長手方向全域に亙り、フェイス面２ａに平行な筋目６が複数等ピッチに形成されている。このような凸曲面とこの筋目６により、打球部３の上面３ａに光が照射されると、この上面３ａのどこかにフェイス面２ａに直交する光の陰影（図示せず）が太く直線状に生成される。この陰影は、所謂打球方向指示線となり、あらゆる角度、すなわち、プレーヤーの目がパターヘッド１の真上でなくてどの位置にあってもこの上面３ａに形成される。したがって、初心者であっても、パターヘッド１の位置を容易に確認することができ、正確に目標ラインに沿って打ち出すことができる。また、この打球方向指示線は、陰影によって形成される指示線であるので、従来の機械的に形成された細い打球方向指示線と異なり、明確に識別することができる。
【００２３】
なお、ここでは、筋目６をフェイス面２ａに対して平行に形成したものを例示したが、これに限らず、フェイス面２ａに直交する筋目であっても良い。この場合、陰影はフェイス面２ａに対して平行に形成されることになり、前述した陰影同様、あらゆる角度から視認可能な打球指示線が打球部３の上面３ａに形成される。
【００２４】
本実施形態では、打球部３の後方にフェイス部２と対向してカウンタウェイト部４を設け、かつ、その円形断面の中心をスイートスポットの高さに略同一に設定しているため、パターヘッド１の重心Ｇの高さは、スイートスポットに接近し、そのためにパターヘッド１を地面に沿わせた状態で打球を行っても、パターヘッド１の重さはゴルフボールに有効に及ぼされ、その結果ゴルフボールには打力が略水平に及ぼされてゴルフボールを目標ラインに沿って所定距離打つことが容易になる。
【００２５】
さらに、カウンタウェイと部４を打球部３の後端から左右に突き出て水平方向に延びる尾翼状に形成すると共に、ソケット部５を、打球部３の長手方向に位置する重心Ｇに一致させたので、シャフトを中心とした重量バランスの均衡が良くなり、回転モーメントが小さくなって、ゴルフボールを打つ場合にシャフトとの一体感が得られ、パターヘッド１の首振り運動を抑制できるから、ゴルフボールを目標ラインに沿って真っ直ぐ打ち出し易い。
【００２６】
また、ソール面３ｂは、図２に示すように、フェイス部２の側からカウンタウェイト部４の側にかけて、その中央部が下方に突出するように円弧状に形成されているので、パターヘッド１を振り下ろしてスィングすると、ソール面３ｂの前端コーナ部および後端コーナ部が芝に引っ掛かる不具合を防止することができ、芝からパターヘッド１に加えられる抵抗を最小限に抑制することができる。
【００２７】
本実施形態におけるパターヘッド１は、アルミ合金のブロックから、３次元ＣＡＤ／ＣＡＭのパス生成技術を駆使した３次元形状のソリッド加工法によって形成されているので、従来の鍛造あるいは鋳造により製造されたパターヘッドに比べ、いうまでもなく重量バランスが良く、材料の持つ反発力等の特性を損なうことなく、より敏感な距離感を発揮することができる。
【００２８】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００２９】
本発明に係るパターヘッドの材質は、アルミ合金以外の、例えば、チタンやステンレス等の非鉄金属に適用でき、また、フェイス部、打球部、およびカウンタウェイト部の形状には限定されなく、打球部の上面が凸曲面に形成され、かつ、この凸曲面に、フェイス面に平行または直交する筋目が複数等ピッチに形成されているものであればあらゆる構成のパターヘッドに適用することができる。
【図面の簡単な説明】
【００３０】
【図１】本発明に係るパターヘッドの一実施形態を示す平面図である。
【図２】同上、正面図である。
【図３】同上、側面図である。
【図４】図１のＩＶ−ＩＶ線に沿った断面図である。
【図５】従来のパターヘッドを示す平面図である。
【図６】同上、側面図である。
【図７】同上、アドレス時にゴルフボールの真上に目が位置していない場合のパターヘッドの平面図である。
【符号の説明】
【００３１】
１・・・・・・パターヘッド
２・・・・・・フェイス部
２ａ・・・・・フェイス面
２ｂ、３ａ・・上面
３・・・・・・打球部
３ｂ・・・・・ソール面
４・・・・・・カウンタウェイト部
５・・・・・・ソケット部
６・・・・・・筋目
５０・・・・・パターヘッド
５１・・・・・フェイス面
５２・・・・・バックサイド
５３・・・・・シャフト
５４・・・・・クラウン部
５５・・・・・スイートエリア後方厚肉部
５６・・・・・凹溝
５７・・・・・凸部
５８ａ・・・・ヒール側凹凸部
５８ｂ・・・・トウ側凹凸部
５９・・・・・フェイス後方厚肉部
６０・・・・・センター打球方向指示線
６１・・・・・ヒール側打球方向指示線
６２・・・・・トウ側打球方向指示線
Ｂ・・・・・・ゴルフボール
Ｇ・・・・・・重心
Ｈ・・・・・・高さ
θ・・・・・・傾斜角
【図１】
2005065796.tif 000003
【図２】
2005065796.tif 000004
【図３】
2005065796.tif 000005
【図４】
2005065796.tif 000006
【図５】
2005065796.tif 000007
【図６】
2005065796.tif 000008
【図７】
2005065796.tif 000009